(57)【要約】  本発明は、情報通信網を用いた情報提供方法を提供する。この情報提供方法は、検索の対象となる個人または企業の情報に基づいて作った数字、文字またはピリオドからなる汎用公開インデックス、および検索者が好む数字、文字またはピリオドからなる個人設定インデックスを用いて情報の検査を行えるように支援する。  したがって、本発明によれば、検索者がより容易且つ便利に所望の情報を検索し、情報の提供を受けることができるうえ、有・無線情報通信網のいずれでも使用することが可能な統合的検索体系を構築することができる。
2008517397.tif 000002
【特許請求の範囲】
【請求項１】
（ａ）前記サービス提供サーバ（２００）が、情報提供者端末機（３００）から、個人または企業の情報に対する固有の汎用公開インデックスの登録を受けるための固有インデックス要請信号を受信する段階と、
（ｂ）前記サービス提供サーバ（２００）が情報提供者端末機（３００）から固有インデックス要請を受信したとき、当該個人または企業の情報に基づいて、数字、文字またはピリオドからなる汎用公開インデックスを付与し、これを格納する段階と、
（ｃ）前記サービス提供サーバ（２００）が有線または無線情報通信網（１００）を介して検索者端末機の接続を認識する段階と、
（ｄ）前記サービス提供サーバ（２００）が、検索者端末機（４００）から入力される検索インデックスを受信し、格納された汎用公開インデックスを検索して、前記検索インデックスに相応する汎用公開インデックスとして登録された個人または企業の情報を検索者端末機（４００）へ提供する段階とを含む、情報通信網を用いた情報提供方法。
【請求項２】
前記（ｂ）段階は、
（ｂ−１）前記サービス提供サーバ（２００）が、汎用公開インデックスの登録を要請した情報提供者端末機（３００）から、インデックス付与の対象となる情報を要請し、会員情報ＤＢ（２４２）に格納する段階と、
（ｂ−２）前記サービス提供サーバ（２００）が、格納された情報に基づいて、予め設定された数字、文字またはピリオドからなる地域インデックスを付与し、これを汎用インデックスＤＢ（２４４）に格納する段階と、
（ｂ−３）前記サービス提供サーバ（２００）が、格納された情報に基づいて、予め設定された数字、文字またはピリオドからなるサブ地域インデックスを付与し、これを汎用インデックスＤＢ（２４４）に格納する段階と、
（ｂ−４）前記サービス提供サーバ（２００）が、格納された情報に基づいて、予め設定された数字、文字またはピリオドからなる事業者区分インデックスを付与し、これを汎用インデックスＤＢ（２４４）に格納する段階と、
（ｂ−５）前記サービス提供サーバ（２００）が、格納された情報に基づいて、予め設定された数字、文字またはピリオドからなる業種別インデックスを当該企業または個人に付与し、これを汎用インデックスＤＢ（２４４）に格納する段階とを含み、
前記検索インデックスは、検索者端末機（４００）で使用するインターネットブラウザのＵＲＬ入力窓を介して受信されるか、或いは前記サービス提供サーバ（２００）が運営するサイトから提供する検索フィールドを介して受信される情報であって、前記地域インデックス、サブ地域インデックス、事業者区分インデックス、および業種別インデックスの少なくとも一つを含むことを特徴とする、請求項１に記載の情報通信網を用いた情報提供方法。
【請求項３】
前記（ｂ）段階は、
（ｂ−６）前記サービス提供サーバ（２００）が、当該情報提供者端末機（３００）からワンリンクインデックス登録の要請があったか否かを判断する段階と、
（ｂ−７）ワンリンクインデックス登録の要請があった場合、前記サービス提供サーバ（２００）が数字、文字またはピリオドからなるワンリンクインデックスを付与し、これを汎用公開インデックスＤＢに格納する段階とをさらに含み、
前記検索インデックスは、前記地域インデックス、サブ地域インデックス、事業者区分インデックス、業種別インデックス、およびワンリンクインデックスの少なくとも一つを含むことを特徴とする、請求項２に記載の情報通信網を用いた情報提供方法。
【請求項４】
前記（ｂ−２）段階の前に、前記サービス提供サーバ（２００）が、格納された情報に基づいて、予め設定された数字、文字またはピリオドからなる国家インデックスを付与し、これを汎用インデックスＤＢ（２４４）に格納する段階をさらに含み、
前記検索インデックスは、前記国家インデックス、地域インデックス、サブ地域インデックス、事業者区分インデックス、業種別インデックス、およびワンリンクインデックスの少なくとも一つを含むことを特徴とする、請求項３に記載の情報通信網を用いた情報提供方法。
【請求項５】
前記（ｄ）段階は、
（ｄ−１）前記サービス提供サーバ（２００）が汎用インデックスＤＢ（２４４）を検索した結果、前記検索インデックスと一致する汎用公開インデックスが存在すれば、当該汎用公開インデックスとして登録された個人または企業の情報を検索者端末機（４００）へ提供する段階と、
（ｄ−２）前記サービス提供サーバ（２００）が汎用インデックスＤＢ（２４４）を検索した結果、前記検索インデックスと一致する汎用公開インデックスが存在しなければ、当該検索インデックスに相応する個人または企業のリストを検索者端末機（４００）へ提供した後、前記リストから検索者によって選択された当該個人または企業の情報を検索者端末機（４００）へ提供する段階とをさらに含むことを特徴とする、請求項２〜４のいずれか１項に記載の情報通信網を用いた情報提供方法。
【請求項６】
前記検索者端末機（４００）がモバイル端末機の場合における前記（ｂ）段階は、
（ｂ−１）前記サービス提供サーバ（２００）が、汎用公開インデックスの登録を要請した情報提供者端末機（３００）から、インデックス付与の対象となる情報を要請し、会員情報ＤＢ（２４２）に格納する段階と、
（ｂ−２）前記サービス提供サーバ（２００）が、格納された情報に基づいて、予め設定された数字、文字またはピリオドからなる地域インデックスを付与し、これを汎用インデックスＤＢ（２４４）に格納する段階と、
（ｂ−３）前記サービス提供サーバ（２００）が、格納された情報に基づいて、予め設定された数字、文字またはピリオドからなるサブ地域インデックスを付与し、これを汎用インデックスＤＢ（２４４）に格納する段階と、
（ｂ−４）前記サービス提供サーバ（２００）が、格納された情報に基づいて、予め設定された数字、文字またはピリオドからなる事業者区分インデックスを付与し、これを汎用インデックスＤＢ（２４４）に格納する段階と、
（ｂ−５）前記サービス提供サーバ（２００）が、格納された情報に基づいて、予め設定された数字、文字またはピリオドからなる業種別インデックスを当該企業または個人に付与し、これを汎用インデックスＤＢ（２４４）に格納する段階とを含むことを特徴とする、請求項１に記載の情報通信網を用いた情報提供方法。
【請求項７】
前記（ｂ）段階は、
（ｂ−６）前記サービス提供サーバ（２００）が、当該情報提供者端末機（３００）からワンリンクインデックス登録の要請があったか否かを判断する段階と、
（ｂ−７）ワンリンクインデックス登録の要請があった場合、前記サービス提供サーバ（２００）が数字、文字またはピリオドからなるワンリンクインデックスを付与し、これを汎用公開インデックスＤＢに格納する段階とをさらに含み、
前記検索インデックスは、前記地域インデックス、サブ地域インデックス、事業者区分インデックス、業種別インデックス、およびワンリンクインデックスの少なくとも一つを含むことを特徴とする、請求項６に記載の情報通信網を用いた情報提供方法。
【請求項８】
前記（ｂ−２）段階の前に、前記サービス提供サーバ（２００）が、格納された情報に基づいて、予め設定された数字、文字またはピリオドからなる国家インデックスを付与し、これを汎用インデックスＤＢ（２４４）に格納する段階をさらに含み、
前記検索インデックスは、前記国家インデックス、地域インデックス、サブ地域インデックス、事業者区分インデックス、業種別インデックス、およびワンリンクンリングの少なくとも一つを含むことを特徴とする、請求項７に記載の情報通信網を用いた情報提供方法。
【請求項９】
検索者がモバイル端末機を用いて個人設定インデックスを介して前記サービス提供サーバ（２００）に接続し得るようにするために、
前記（ｃ）段階は、（ｃ−１）前記サービス提供サーバ（２００）が、検索端末機（４００）から、自分の検索者端末機（４００）に対する個人設定インデックスを登録するための固有インデックス要請信号を受信し、当該検索者が好む個人または企業の情報に対する数字、文字またはピリオドからなる個人設定インデックスを登録し、これを格納する段階をさらに含み、
前記（ｄ）段階は、（ｄ−１）前記検索インデックスが個人設定インデックスの場合、格納された個人設定インデックスを検索し、当該検索インデックスに相応する個人設定インデックスとして登録された個人または企業の情報を検索者端末機（４００）へ提供する段階をさらに含むことを特徴とする、請求項１、６〜８のいずれか１項に記載の情報通信網を用いた情報提供方法。
【請求項１０】
前記個人設定インデックスが直接連結用ワンキーインデックスとブックマーク用ワンキーインデックスから構成され、これらのインデックスをそれぞれ設定するために、前記（ｃ−１）段階は、
（ｃ−１−１）前記サービス提供サーバ（２００）が、個人設定インデックスを要請した検索者端末機（４００）から、直接連結を希望する個人または企業の情報に関するデータを要請し、当該検索者端末機（４００）から少なくとも一つの前記データを受信する段階と、
（ｃ−１−２）前記サービス提供サーバ（２００）が、直接連結を希望する個人または企業の情報に対する数字、文字またはピリオドからなる直接連結用ワンキーインデックスを要請し、受信された直接連結用ワンキーインデックスと前記個人または企業の情報を連結設定して個人インデックスＤＢ（２４６）に格納する段階と、
（ｃ−１−３）前記サービス提供サーバ（２００）が、個人設定インデックスを要請した検索者端末機（４００）から、個人ブックマークとして構成することを希望する個人または企業の情報に関するデータを要請し、当該検索者端末機（４００）から少なくとも一つの前記データを受信する段階と、
（ｃ−１−４）前記サービス提供サーバ（２００）が、個人ブックマークに直ちに接近することが可能な数字、文字またはピリオドからなるブックマーク用ワンキーインデックスを案内し、個人ブックマークとして構成することを希望する個人または企業の情報を当該検索者端末機（４００）の個人ブックマークとして設定し、個人インデックスＤＢ（２４６）に格納する段階とを含むことを特徴とする、請求項９に記載の情報通信網を用いた情報提供方法。
【請求項１１】
前記（ｄ−１）段階は、
（ｄ−１−１）前記サービス提供サーバ（２００）が、個人設定インデックスの連結のために接続した当該検索者端末機（４００）へ検索フィールドを提供し、入力された検索インデックスを受信する段階と、
（ｄ−１−２）前記サービス提供サーバ（２００）が、受信された検索インデックスを用いて個人インデックスＤＢ（２４６）を検索する段階と、
（ｄ−１−３）前記サービス提供サーバ（２００）が個人インデックスＤＢ（２４６）を検索した結果、当該検索インデックスが、予め設定された直接連結用ワンキーインデックスの場合には、これに連結設定された個人または企業の情報を検索者端末機（４００）へ提供する段階と、
（ｄ−１−４）前記サービス提供サーバ（２００）が個人インデックスＤＢ（２４６）を検索した結果、当該検索インデックスが、予め設定されたブックマーク用ワンキーインデックスの場合には、当該ブックマークとして構成された個人または企業の情報に関するリストを検索者端末機（４００）へ提供し、検索者によって選択された個人または企業の情報を検索者端末機（４００）へ提供する段階とを含むことを特徴とする、請求項１０に記載の情報通信網を用いた情報提供方法。
【請求項１２】
前記（ｃ）段階で、サービス提供サーバ（２００）が、検索者端末機（４００）による接続が汎用公開インデックス連結のための接続か個人設定インデックス連結のための接続かを区分するために、
当該検索者端末機（４００）に汎用公開インデックス連結のためのホットキーと個人設定インデックス連結のためのホットキーをそれぞれ別途に備えさせ、ホットキー別に互いに異なる接続信号をサービス提供サーバ（２００）が受信することにより区分する方式と、
当該検索者端末機（４００）に一つのホットキーのみを備えさせるが、連結目的に応じて特定化された番号コードを入力した後、前記ホットキーを押すようにして、入力された番号コード別に互いに異なる接続信号をサービス提供サーバ（２００）が受信することにより区分する方式と、
当該検索者端末機（４００）に一つのホットキーのみを備えさせるが、連結目的に応じて検索者による前記ホットキーの押圧回数を異ならせて、その回数別に互いに異なる接続信号をサービス提供サーバ（２００）が受信することにより区分する方式と、
当該検索者端末機（４００）に一つのホットキーのみを備えさせるが、検索者端末機（４００）がサービス提供サーバ（２００）に接続された以後、別途の連結目的別メニュールートの選択を強制することにより区分する方式と、
当該検索者端末機（４００）に別途のホットキーを備えさせない代わりに、サービス提供サーバ（２００）への接続のための別途のサービスメニューを備えさせ、検索者端末機（４００）がサービス提供サーバ（２００）に接続された以後、別途の連結目的別メニュールートの選択を強制することにより区分する方式と、
当該検索者端末機（４００）に別途のホットキーを備えさせない代わりに、サービス提供サーバ（２００）への接続のための無線ＣＰメニューを当該検索者端末機（４００）の属した事業者の無線インターネット上に下位提供メニューとして登録させ、検索者端末機（４００）がサービス提供サーバ（２００）に接続された以後、別途の連結目的別メニュールートの選択を強制することにより区分する方式のうちいずれか一つを採用することを特徴とする、請求項９に記載の情報通信網を用いた情報提供方法。
【発明の詳細な説明】
【技術分野】
【０００１】
本発明は、情報通信網を用いた情報提供方法に係り、より詳しくは、有線または無線情報通信網を介して提供される個人または企業の情報を検索する際に、検索者が容易に使用可能なインデックス体系を支援し、より便利に情報の提供を受けることを可能にする、情報通信網を用いた情報提供方法に関する。
【背景技術】
【０００２】
最近、有線または無線情報通信網が急激に普及されるにつれて、個人または企業の情報を情報通信網を介して検索し、検索された情報の提供を受けようとする要求が日増しに高くなっている。特に、大部分の現代人が少なくとも一つのモバイル端末機（携帯電話やＰＤＡ電話など）を所持しており、モバイル端末機の機能が急速に発達し、従来の単純通話機能またはデータ格納機能から外れて無線情報通信網を介して各種文書ファイルやメディアファイルなどの様々な情報を容易にダウンロードすることができるようになった。各種公共機関またはインターネットユーザーは、別途のモバイルホームページを構築するなど、モバイル端末機を用いた無線情報通信網の環境が速く構築されている。
【０００３】
このような高速情報通信網の環境の下で個人または企業の情報をより便利に検索し、検索された情報の提供を受けることを可能にする方法が切実に求められているが、既存の情報提供方法は、検索者の立場でいろいろ不便な点が多かった。
【０００４】
その一例として、有線通信網を介して情報を提供する方法の一つである韓国公開特許第２０００−３０８２６号の「インターネット検索システムおよびその制御方法」について考察する。前記発明は、政府、政治、経済、文化、芸術、観光、レジャー、教育、音楽、医療、歴史、言論機関、ＴＶ、ショッピング、映画、企業体、宗教、不動産などの様々な関連情報を国家別、地域別、分野別に分類し、分野を選択した後で国家、地域を選択するか、或いは国家、地域を選択した後で分野を選択することにより、各種情報を体系的に検索することができるように構成されており、検索のためのインターフェースツールとして各国家別に電子地図を提供している。ところが、このような検索方法は、電子地図を用いて検索者が所望の情報に段階的に接近し得るようになっており、検索に相当多くの時間がかかるうえ、自分のサイトを持っている政府や機関などのみを検索することができるという問題点があった。
【０００５】
一方、無線通信網を用いて情報を検索するために、モバイル端末機ユーザーは、まず、当該通信事業者側から提供するホーンページに接続した後、提供される検索メニューに従って移動しながら段階的に検索を行うか、或いはＵＲＬを直接入力可能なページに移動し、英文などからなるＷｅｂサイトのＵＲＬを直接入力することにより当該Ｗｅｂサイトに接続することができた。ところが、この方法によっても、所望の情報を検索するために多段階の検索メニューを経なければならないという不便さは依然として存在し、モバイル端末機のキーパッドが基本的に文字ではなく数字の入力手段から構成されており、文字からなるＵＲＬを検索者が直接入力するのに多くの制約が伴った。
【０００６】
よって、最近、英文ドメイン名を数字に変換して作った固有番号を入力するだけで、当該Ｗｅｂサイトに接続できるようにする数字ドメイン体系が構築されている。ところが、このような方式は、実際携帯電話ユーザーの立場では異なる２つのバージョン（英文および数字）のドメインを記憶しなければならないので煩わしいうえ、同一の数字を使用する英文ドメイン名が多数存在して多くのインターネット事業者間に競合が発生し、登録を受けられない事業者の場合には事業に莫大な支障が生ずるという問題点があった。
【０００７】
なお、前記有線または無線情報通信網を用いて統合的検索体系を提供することが可能な方式は、未だ開発されていない。
【発明の開示】
【発明が解決しようとする課題】
【０００８】
そこで、本発明は、かかる問題点を解決するために提案されたもので、その目的とするところは、数字、文字またはピリオドを用いて有線および無線情報通信網のいずれでも容易に使用することが可能なインデックス体系を支援することにより、検索者が自分の所望する情報に一層便利に接近して検索することを可能にする、情報通信網を用いた情報提供方法を提供することにある。
【０００９】
また、本発明の他の目的は、前記インデックス体系を用いて所望の情報を検索した後、情報提供者端末機から情報の提供を直接受けることを可能にすることにより、有無線インターネット接続を容易にして検索速度を向上させる一方、有無線インターネット接続のための別途のドメイン登録またはモバイル接続のためのホーンページを構築する必要をなくすことにある。
【課題を解決するための手段】
【００１０】
上記目的を達成するために、本発明は、（ａ）前記サービス提供サーバが、情報提供者端末機から、個人または企業の情報に対する固有の汎用公開インデックスの登録を受けるための固有インデックス要請信号を受信する段階と、（ｂ）前記サービス提供サーバが、情報提供者端末機から固有インデックス要請を受信したとき、当該個人または企業の情報に基づいて、数字、文字またはピリオドからなる汎用公開インデックスを付与し、これを格納する段階と、（ｃ）前記サービス提供サーバが有線または無線情報通信網を介して検索者端末機の接続を認識する段階と、（ｄ）前記サービス提供サーバが、検索者端末機から入力される検索インデックスを受信し、格納された汎用公開インデックスを検索し、前記検索インデックスに相応する汎用公開インデックスとして登録された個人または企業の情報を検索者端末機へ提供する段階とを含む、情報通信網を用いた情報提供方法を提供する。
【００１１】
好ましくは、前記（ｂ）段階は、（ｂ−１）前記サービス提供サーバが、汎用公開インデックスの登録を要請した情報提供者端末機から、インデックス付与の対象となる情報を要請し、会員情報ＤＢに格納する段階と、（ｂ−２）前記サービス提供サーバが、格納された情報に基づいて、予め設定された数字、文字またはピリオドからなる地域インデックスを付与し、これを汎用インデックスＤＢに格納する段階と、（ｂ−３）前記サービス提供サーバが、格納された情報に基づいて、予め設定された数字、文字またはピリオドからなるサブ地域インデックスを付与し、これを汎用インデックスＤＢに格納する段階と、（ｂ−４）前記サービス提供サーバが、格納された情報に基づいて、予め設定された数字、文字またはピリオドからなる事業者区分インデックスを付与し、これを汎用インデックスＤＢに格納する段階と、（ｂ−５）前記サービス提供サーバが、格納された情報に基づいて、予め設定された数字、文字またはピリオドからなる業種別インデックスを当該企業または個人に付与し、これを汎用インデックスＤＢに格納する段階とを含み、前記検索インデックスは、検索者端末機で使用するインターネットブラウザのＵＲＬ入力窓を介して受信されるか、或いは前記サービス提供サーバが運営するサイトから提供する検索フィールドを介して受信される情報であって、地域インデックス、サブ地域インデックス、事業者区分インデックス、および業種別インデックスの少なくとも一つを含む。
【００１２】
さらに好ましくは、前記（ｂ）段階は、（ｂ−６）前記サービス提供サーバが、当該情報提供者端末機からワンリンクインデックス登録の要請があったか否かを判断する段階と、（ｂ−７）ワンリンクインデックス登録の要請があった場合、前記サービス提供サーバが、数字、文字またはピリオドからなるワンリンクインデックスを付与し、これを汎用公開インデックスＤＢに格納する段階とをさらに含み、前記検索インデックスは、前記地域インデックス、サブ地域インデックス、事業者区分インデックス、業種別インデックス、およびワンリンクインデックスの少なくとも一つを含む。
【００１３】
さらに好ましくは、前記（ｂ−２）段階の前に、前記サービス提供サーバが、格納された情報に基づいて、予め設定された数字、文字またはピリオドからなる国家インデックスを付与し、これを汎用インデックスＤＢに格納する段階をさらに含み、前記検索インデックスは、前記国家インデックス、地域インデックス、サブ地域インデックス、事業者区分インデックス、業種別インデックス、およびワンリンクインデックスの少なくとも一つを含む。
【００１４】
また、前記（ｄ）段階は、（ｄ−１）前記サービス提供サーバが汎用インデックスＤＢを検索した結果、前記検索インデックスと一致する汎用公開インデックスが存在すれば、当該汎用公開インデックスとして登録された個人または企業の情報を検索者端末機へ提供する段階と、（ｄ−２）前記サービス提供サーバが汎用インデックスＤＢを検索した結果、前記検索インデックスと一致する汎用公開インデックスが存在しなければ、当該検索インデックスに相応する個人または企業のリストを検索者端末機へ提供した後、前記リストから検索者によって選択された当該個人または企業の情報を検索者端末機へ提供する段階とをさらに含む。
【００１５】
一方、検索者がモバイル端末機ユーザーとして無線情報通信網を介して情報を検索する場合にも、前記（ｂ−１）ないし（ｂ−７）段階によって、より便利に所望の個人または企業の情報提供を受けることが可能である。但し、モバイル端末機の場合には、インターネットブラウザのＵＲＬ入力窓が存在しないため、別途の検索フィールドを介して前記国家インデックス、地域インデックス、サブ地域インデックス、事業者区分インデックス、業種別インデックス、およびワンリンクインデックスの少なくとも一つを入力するようになっている。これについての詳細な説明は後述する。
【００１６】
本発明によれば、検索者がモバイル端末機を用いる場合、個人設定インデックスを用いた検索機能をさらに支援し、より便利に情報の検索を行えるようにする。このため、前記（ｃ）段階は、（ｃ−１）前記サービス提供サーバが、検索端末機から自分の検索者端末機に対する個人設定インデックスを登録するための固有インデックス要請信号を受信し、当該検索者が好む個人または企業の情報に対する数字、文字またはピリオドからなる個人設定インデックスを登録し、これを格納する段階をさらに含み、前記（ｄ）段階は、（ｄ−１）前記検索インデックスが個人設定インデックスの場合、前記サービス提供サーバが、格納された個人設定インデックスを検索し、当該検索インデックスに相応する個人設定インデックスとして登録された個人または企業の情報を検索者端末機へ提供する段階をさらに含む。
【００１７】
一方、前記個人設定インデックスは直接連結用ワンキーインデックスとブックマーク用ワンキーインデックスから構成されるが、これらそれぞれのワンキーインデックスを用いて検索機能を提供するために、前記（ｃ−１）段階は、（ｃ−１−１）前記サービス提供サーバが、個人設定インデックスを要請した検索者端末機から直接連結を希望する個人または企業の情報に関するデータを要請し、当該検索者端末機から少なくとも一つの前記データを受信する段階と、（ｃ−１−２）前記サービス提供サーバが、直接連結を希望する個人または企業の情報に対する数字、文字またはピリオドからなる直接連結用ワンキーインデックスを要請し、受信された直接連結用ワンキーインデックスと前記個人または企業の情報を連結設定して個人インデックスＤＢに格納する段階と、（ｃ−１−３）前記サービス提供サーバが、個人設定インデックスを要請した検索者端末機から個人ブックマークとして構成することを希望する個人または企業の情報に関するデータを要請し、当該検索者端末機から少なくとも一つの前記データを受信する段階と、（ｃ−１−４）前記サービス提供サーバが、個人ブックマークに直ちに接近することが可能な数字、文字またはピリオドからなるブックマーク用ワンキーインデックスを案内し、個人ブックマークとして構成することを希望する個人または企業の情報を当該検索者端末機の個人ブックマークとして設定し、個人インデックスＤＢに格納する段階とを含み、
【００１８】
前記（ｄ−１）段階は、（ｄ−１−１）前記サービス提供サーバが、個人設定インデックス連結のために接続した当該検索者が検索フィールドを提供し、入力された検索インデックスを受信する段階と、（ｄ−１−２）前記サービス提供サーバが、受信された検索インデックスを用いて個人インデックスＤＢを検索する段階と、（ｄ−１−３）前記サービス提供サーバが個人インデックスＤＢを検索した結果、当該検索インデックスが予め設定された直接連結用ワンキーインデックスの場合には、これに連結設定された個人または企業の情報を検索者端末機へ提供する段階と、（ｄ−１−４）前記サービス提供サーバが個人インデックスＤＢを検索した結果、当該検索インデックスが予め設定されたブックマーク用ワンキーインデックスの場合には、当該ブックマークとして構成された個人または企業の情報に関するリストを検索者端末機へ提供し、検索者によって選択された個人または企業の情報を検索者端末機へ提供する段階とをさらに含む。
【００１９】
一方、前記（ｃ）段階で、サービス提供サーバが、検索者端末機による接続が汎用公開インデックス連結のための接続なのか個人設定インデックス連結のための接続なのかを区分するために、当該検索者端末機に汎用公開インデックス連結のためのホットキーと個人設定インデックス連結のためのホットキーをそれぞれ別途に備えさせ、ホットキー別に互いに異なる接続信号をサービス提供サーバが受信することにより区分する方式と、当該検索者端末機に一つのホットキーのみを備えさせるが、連結目的に応じて特定化された番号コードを入力した後前記ホットキーを押すようにして、入力された番号コード別に互いに異なる接続信号をサービス提供サーバが受信することにより区分する方式と、当該検索者端末機に一つのホットキーのみを備えさせるが、連結目的に応じて検索者による前記ホットキーの押圧回数を異ならせて、その回数別に互いに異なる接続信号をサービス提供サーバが受信することにより区分する方式と、当該検索者端末機に一つのホットキーのみを備えさせるが、検索者端末機がサービス提供サーバに接続された以後、別途の連結目的別メニュールートの選択を強制することにより区分する方式と、当該検索者端末機に別途のホットキーを備えさせない代わりに、サービス提供サーバへの接続のための別途のサービスメニューを備えさせ、検索者端末機がサービス提供サーバに接続された以後、別途の連結目的別メニュールートの選択を強制することにより区分する方式と、当該検索者端末機に別途のホットキーを備えさせない代わりに、サービス提供サーバへの接続のための無線ＣＰメニューを当該検索者端末機の属した事業者の無線インターネット上に下位提供メニューとして登録させ、検索者端末機がサービス提供サーバに接続された以後、別途の連結目的別メニュールートの選択を強制することにより区分する方式のうちいずれか一つを採用する。
【図面の簡単な説明】
【００２０】
【図１】図１は本発明に係る情報通信システムの構成図である。
【図２】図２は本発明に係るサービス提供サーバの構成ブロック図である。
【図３】図３は本発明に係る検索者端末機の一例示図である。
【図４】図４は本発明に係る検索インデックス入力方式の一例示図である。
【図５】図５は本発明に係る情報提供方法の基本構成を示す順序図である。
【図６】図６は本発明に係る汎用公開インデックスの登録過程を示す順序図である。
【図７】図７は本発明に係る汎用公開インデックスによる検索過程を示す順序図である。
【図８】図８は本発明に係る個人設定インデックスを含んだ全体構成を示す順序図である。
【図９】図９は本発明に係る個人設定インデックスの登録過程を示す順序図である。
【図１０】図１０は本発明に係る個人設定インデックスによる検索過程を示す順序図である。※図面の主要部分に対する符号の説明※  １００：情報通信網２００：サービス提供サーバ  ３００：情報提供者端末機４００：検索者端末機
【発明を実施するための最良の形態】
【００２１】
以下に添付図面を参照しながら、本発明に係る好適な実施の形態をより詳細に説明する。図１〜図３は本発明が適用される情報通信システムを示す。
【００２２】
図１に示すように、本発明が適用される情報通信システムは、情報通信網１００、サービス提供サーバ２００、情報提供者端末機３００、および検索者端末機４００から構成される。
【００２３】
前記情報通信網１００は、有線で接続可能なＴＣＰ／ＩＰプロトコルと無線で接続可能なＷＡＰプロトコルなどを使用したインターネット網を全て含む。
前記サービス提供サーバ２００は、情報提供者端末機３００が情報通信網１００を介して接続され、自分が提供しようとする情報に対する固有インデックスを付与され、前記検索者端末機４００が当該インデックスで検索し、このインデックスに連結設定された情報を提供されるようにする機能を行う。このため、前記サービス提供サーバ２００は、図２に示すように、中央処理部２１０、運営体系部２２０、ＲＯＭとＲＡＭを含んだメモリ部２３０、およびデータ格納部２４０を含んでなり、図示してはいないが、別途のディスプレイ部を含んでもよい。
【００２４】
前記中央処理部２１０は、大容量の業務処理、相互情報交換の際に必要な数多くの数学的計算を実行し、データベースを検索する機能を行うことができなければならないところ、一般にＩＮＴＥＬ社の１００ＭＨｚ Ｐ５４Ｃ、モトローラ社の１２０ＭＨｚパワーＰＣ６０４またはサンマイクロシステム社の１６６ＭＨｚウルトラＳＰＡＲＣ−１系列以上の中央処理装置であることが好ましい。一方、これを駆動するのに必要な別途の運営体系（Ｏ／Ｓ）は、前記運営体系部２２０に格納される。
【００２５】
前記メモリ部２３０は、本発明に係るデータを一時的に格納する機能を行い、１２８ＭＢ以上の大きさであればＥＥＰＲＯＭ、ＤＲＡＭ、ＳＲＡＭなどのいずれでも構わない。
前記データ格納部２４０は、会員情報ＤＢ２４２、汎用インデックスＤＢ２４４、および個人インデックスＤＢ２４６から構成され、一般にＯＲＡＣＬＥ社により製造されたソフトウェアのようなデータベース管理プログラムによって前記ＤＢを生成し管理する。
【００２６】
前記会員情報ＤＢ２４２には、サービス提供サーバ２００から提供する汎用公開インデックスを付与されるために、情報提供者端末機３００を介して接続する個人または企業会員の広報または広告に関連した会員基本情報が格納される一方、検索者がモバイル端末機を使用する場合、サービス提供サーバ２００から提供する個人設定インデックスを登録しようとする検索者の会員基本情報が格納される。
【００２７】
この際、汎用公開インデックスの付与を要望する個人または企業の会員基本情報は、会員別ＩＤ、パスワード、会社名、国名、地域名、事業者登録番号、代表者の氏名、代表者の住民登録番号、代表者の住所、事業者区分、業種、ホームページの有無、ホームページがある場合のＵＲＬ、従業員数、およびその他の個人または企業を広報するための情報などであるが、本発明はこれらに限定されるものではない。
また、個人設定インデックスを登録しようとするモバイル端末機ユーザーの会員基本情報は、ユーザーＩＤ、パスワード、ユーザーの名前、住所、通信事業者区分、モバイル端末機の電話番号、モバイル端末機の固有認識コードなどがあり得るが、これも本発明を限定しない。
【００２８】
前記汎用インデックスＤＢ２４４には、前記個人または企業会員に与えられる汎用公開インデックス、およびこれに関連した企業情報が格納される。前記汎用公開インデックスは、数字、文字またはピリオドで出来ているもので、国家インデックス、地域インデックス、サブ地域インデックス、事業者区分インデックス、業種別インデックス、およびワンリンクインデックスを含む。これについての詳細な説明は後述する。
【００２９】
前記個人インデックスＤＢ２４６には、それぞれのモバイル端末機ユーザーが個人の好みに応じて別途に設定される個人設定インデックスが格納される。この個人設定インデックスは、所望の情報への直接連結を可能にする直接連結用ワンキーインデックスと、所望の情報をリストとして管理するブックマーク用ワンキーインデックスがあるが、これについての詳細な説明も後述する。
【００３０】
前記情報提供者端末機３００は、情報通信網１００を介して自分の持つ情報を提供しようとする個人または企業が使用する。当該個人または企業は、情報通信網１００を介してサービス提供サーバ２００に接続し、自分のサイト情報または企業の特色に応じて、数字、文字またはピリオドからなる固有の汎用インデックスの付与を受けて登録させることにより、検索者が、前記サービス提供サーバ２００を介して個人または企業から提供する情報を容易に検索し得るようにする。
【００３１】
このため、前記情報提供者端末機３００は、通信可能なコンピュータ装置であって、Ｗｅｂの内容を表示可能なインターネットブラウザを持っていなければならず、企業用サーバだけでなく、例えばデスクトップコンピュータ、ノートブックコンピュータなどのパーソナルコンピュータ、有線電話、または無線インターネット通信が可能な携帯電話またはＰＤＡ電話なども含まれる。したがって、情報提供者端末機３００は、実際特定の事業を運営している事業者のみに制限されず、個人ホームページ、ミニホームページなどの一般な個人Ｗｅｂサイトを運営している個人顧客であってもよい。また、情報提供者端末機３００を使用する個人または企業は、必ずしも自分のＷｅｂサイトを運営していなくてもよく、企業紹介などの簡単な情報は、自分の端末機或いは前記サービス提供サーバ２００に格納した後、検索要求の際に直接伝送されるようにすることもできる。
前記検索者端末機４００は、情報通信網１００を介してサービス提供サーバ２００に接続し、自分が必要とする情報に相当する汎用公開インデックスまたは個人設定インデックスを入力することにより、当該情報が容易に得られるようにする。この検索者端末機４００は、有・無線通信を介して文字、イメージ、動画像、および音響データの送受信が可能な有線端末機およびモバイル端末機を全て含み、例えばデスクトップコンピュータ、ノートブック、ＰＤＡ、ＨＰＣ(Handheld Personal Computer)、Ｗｅｂパッド、スマートホーン、ＷＡＰ(Wireless Application Protocol)ホーン、パームＰＣ、ｅ−ｂｏｏｋ端末機、ＨＨＴ(Hand Held Terminal)などが挙げられる。
【００３２】
前記検索者端末機４００がモバイル端末機の場合には、図３に示すように、無線情報通信網を介してサービス提供サーバ２００に直接接続し得るようにホットキー（ＨＫ）を備えることが好ましい。この場合、検索者は、無線インターネットの開始の際に、既存の通信事業者側から提供するホーンページへのショットカットキーではなく前記ホットキー（ＨＫ）を押すことにより、当該検索者端末機４００が直ちにサービス提供サーバ２００側からの検索ページに接続されるようにすることができる。
【００３３】
図５は、本発明に係る情報通信網を用いた情報提供方法の基本構成を示す順序図である。
【００３４】
サービス提供サーバ２００は、情報通信網１００を介して接続される情報提供者端末機３００から、自分の持つ情報に対する汎用公開インデックスの付与を受けるための要請信号を受信する（Ｓ１０）。この際、前記汎用公開インデックスは、個人または企業が自分の情報に対して当該サービス提供サーバ２００から与えられる、数字、文字またはピリオドからなる固有インデックスであって、検索者は、体系的に設定された汎用公開インデックスを介して個人または企業の情報を検索し、情報の提供を受ける。
サービス提供サーバ２００は、情報提供者端末機３００から汎用公開インデックス要請信号を受信した場合、当該個人または企業側から、汎用公開インデックス付与の対象となる個人または企業の情報を要請し、受信された個人または企業の情報を会員情報ＤＢ２４２に格納した後、これに基づいて、予め設定された数字、文字またはピリオドからなる汎用公開インデックスを付与し、これを汎用インデックスＤＢ２４４に格納する（Ｓ２０）。
【００３５】
汎用公開インデックス付与の基準となる前記予め設定された数字、文字またはピリオドは、個人または企業の国家、地域、サブ地域、事業者区分、および業種によって体系的に区分されている。場合によっては、このような国家、地域、サブ地域、事業者区分、および業種特性を無視し、情報提供者設定のワンリンクインデックスを汎用公開インデックスとして付与することもできる。
【００３６】
情報提供者端末機３００から個人または企業の情報に対する汎用公開インデックスの要請を受けてこれを付与した後、前記サービス提供サーバ２００は、情報通信網１００を介して検索者端末機４００の接続を認識する（Ｓ３０）。この際、前記検索者端末機４００は、有線情報通信網を介して接続されるデスクトップコンピュータのような有線端末機であってもよく、無線情報通信網を介して接続される携帯電話やＰＤＡ電話などのモバイル端末機であってもよい。本発明によれば、検索者端末機４００がモバイル端末機の場合、個人設定インデックスによる検索機能をさらに支援するが、これについては図８〜図１０を参照して後述する。
【００３７】
サービス提供サーバ２００は、検索者端末機４００からの接続を認識した場合、検索者端末機４００から検索インデックスの入力を受けてメモリ部２３０に格納する。その後、前記汎用インデックスＤＢ２４４を検索し、前記検索インデックスに相応する汎用公開インデックスとして登録された個人または企業の情報を検索者端末機４００へ提供する（Ｓ４０）。個人または企業の情報を提供する方法は、前記サービス提供サーバ２００または情報提供者端末機３００に格納された情報を検索者端末機４００へ直接伝送する方法があり、検索者端末機４００を個人または企業運営のＷｅｂサイトに接続することを支援する方法がある。
【００３８】
次に、前記Ｓ２０段階である、本発明に係る汎用公開インデックスの登録過程について図６を参照して詳細に説明する。
【００３９】
まず、サービス提供サーバ２００は、情報提供者端末機３００から汎用公開インデックス付与の対象となる個人または企業の情報を要請し、受信された個人または企業の情報を会員情報ＤＢ２４２に格納する（Ｓ２１）。
【００４０】
この際、前記個人または企業の情報が、個人ホームページ、ミニホームページなどの個人Ｗｅｂサイトだけでなく、実際特定の事業を行っている企業の会社名、国名、地域名、事業者登録番号、代表者の氏名、代表者の住民登録番号、代表者の住所、事業者区分、業種、ホームページの有無、ホームページがある場合のＵＲＬ、従業員の数、ワンリンクインデックス付与有無、および広報のための情報を含むということは、前述したとおりである。
【００４１】
サービス提供サーバ２００は、前記Ｓ２１段階によって会員情報ＤＢに格納されている個人または企業の属した国名を介して、運営者によって予め設定された数字、文字またはピリオドからなる国家インデックスを当該個人または企業に付与し、この国家インデックスを汎用インデックスＤＢ２４４に格納する（Ｓ２２）。国家インデックスは、国際電話番号（韓国：０８２、日本：０８１、中国：０８６など）を用いて作ってもよい。この国家インデックスを用いて、全世界の情報を体系的に検索可能なシステムを構築することができる。国家インデックスは、本発明に係る最大範囲のインデックスであるが、一つの国家内における個人または企業の情報を提供するシステムの場合には、後述する地域インデックスを最大範囲のインデックスとしてインデックスシステムが構築される。したがって、国家インデックスを付与する前記Ｓ２２段階は、本発明に係る必須構成段階ではない。
【００４２】
本実施例において、各国別国家インデックスは、表１の通りである。
(表１)
【００４３】
2008517397.tif 000003
【００４４】
日本０８１ドイツ０４９
サービス提供サーバ２００は、前記Ｓ２１段階によって会員情報ＤＢに格納されている個人または企業の地域名を介して、運営者によって予め設定された数字、文字またはピリオドからなる地域インデックスを当該個人または企業に付与し、この地域インデックスを汎用インデックスＤＢ２４４に格納する（Ｓ２３）。
次に、本実施例における前記地域インデックス付与方法について詳細に説明する。
前記サービス提供サーバ２００は、当該個人または企業の地域をソウル特別市、６代広域市、京畿道、忠清南北道、全羅南北道、慶尚南北道、済州道および江原道に区別し、ソウル以外の各地域に与えられた３桁の長距離自動電話地域番号（ＤＤＤ）を地域インデックスとして付与し、ソウルは００２と地域インデックスを付与して、前記汎用インデックスＤＢ２４４に、前記個人または企業に与えられた地域インデックスを格納する。
本実施例において、韓国の各地域に対する地域インデックスは、表２の通りである。
(表２)
【００４５】
2008517397.tif 000004
【００４６】
次に、サービス提供サーバ２００は、前記Ｓ２１段階によって会員情報ＤＢ２４２に格納されている個人または企業の地域名を介して、運営者によって予め設定された数字、文字またはピリオドからなるサブ地域インデックスを当該個人または企業に付与し、このサブ地域インデックスを前記汎用インデックスＤＢ２４４に格納する（Ｓ２４）。
次に、本実施例における前記サブ地域インデックス付与方法について詳細に説明する。
前記サービス提供サーバ２００は、ソウル特別市を江南区、江東区、江北区、江西区などの２５個のサブ地域に区分し、京畿道を高陽市、一山区、果川市、光明市などの３１個のサブ地域に区分し、釜山広域市を江西区、金井区、南区、東区などの１６個のサブ地域に区分し、仁川広域市を桂陽区、南区、南東区などの１０個のサブ地域に区分し、大邱広域市を南区、達西区、東区などの８個のサブ地域に区分し、大田広域市を大徳区、東区、儒城区などの５個のサブ地域に区分し、光州広域市を光山区、南区などの５個のサブ地域に区分し、蔚山広域市を蔚州郡、南区、東区などの５個のサブ地域に区分し、済州道を西帰浦市、済州市などの４個のサブ地域に区分し、忠清南道を公州市、論山市、保寧市などの１５個のサブ地域に区分し、忠清北道を提川市、清州市、忠州市などの１１個のサブ地域に区分し、慶尚南道を巨済市、金海市、密陽市などの１９個のサブ地域に区分し、慶尚北道を慶山市、慶州市、亀尾市などの２３個のサブ地域に区分し、全羅南道を光陽市、羅州市、木浦市などの２２個のサブ地域に区分し、全羅北道を群山市、金提市、南原市などの１４個のサブ地域に区分し、江原道を江陵市、東海市、三陟市などの１８個のサブ地域に区分し、各サブ地域ごとに２桁のサブ地域インデックスを前記地域インデックスに加えて付与し、前記汎用インデックスＤＢ２４４に当該サブ地域インデックスを格納する。
本実施例において付与されたサブ地域インデックスのうち京畿地域に対するサブ地域インデックスを示すと、表３の通りである。
(表３)
【００４７】
2008517397.tif 000005
【００４８】
次に、サービス提供サーバ２００は、前記Ｓ２１段階によって会員情報ＤＢ２２４２に格納されている個人または企業の事業者区分を介して、運営者によって予め設定された数字、文字またはピリオドからなる事業者区分インデックスを当該個人または企業に付与し、この事業者区分インデックスを前記汎用インデックスＤＢ２４４に格納する。
本実施例において、サービス提供サーバ２００は、前記企業が法人事業者の場合にＡを付与し、前記企業が個人事業者の場合にはＢを付与し、事業者ではなく一般個人の場合にはＣを付与する。
【００４９】
次に、サービス提供サーバ２００は、前記Ｓ２１段階によって会員情報ＤＢ２４２に格納されている企業の業種を介して、運営者によって予め設定された数字、文字またはピリオドからなる業種別インデックスを当該企業または個人に付与し、この個人または企業に与えられた業種別インデックスを前記汎用インデックスＤＢ２４４に格納する（Ｓ２６）。
【００５０】
本実施例において、前記サービス提供サーバ２００の中央処理部２１０は、業種を５４個の業種に細分してこれに３桁の固有インデックスを付与し、前記個人または企業が営為する事業の業種に対する業種別インデックスを前記Ｓ２２段階ないしＳ２５段階による地域、サブ地域および事業者区分インデックスに加えて付与し、この業種別インデックスを前記汎用インデックスＤＢ２４４に格納する。各業種別インデックスは、表４に例示されている。
(表４)
【００５１】
2008517397.tif 000006
【００５２】
次に、サービス提供サーバ２００は、個人または企業の情報に対する汎用公開インデックスの登録を要請した当該情報提供者端末機３００が登録要請の際にワンリンクインデックスの付与を要請したか否かを判断する（Ｓ２７）。
【００５３】
前記ワンリンクインデックスとは、上述したように、当該個人または企業側が指定する数字、文字またはピリオドからなり、当該個人または企業の業種と関連があり且つ検索者が記憶し易い特色インデックスであって、当該ワンリンクインデックスの入力のみで検索者が個人または企業の情報の提供を受けられるようにしたインデックスを意味する。
特に、情報提供者が企業または個人事業者ではなく個人ホームページ、ミニホームページ、ブログなどの一般な個人Ｗｅｂサイトを運営している純粋な個人顧客の場合には、前述した国家、地域、サブ地域、事業者区分、および業種による汎用公開インデックスとして登録するのではなく、携帯電話番号や住民登録番号のように、個人が好む数字、文字およびピリオドからなる個人区分インデックスをワンリンクインデックスとして登録することができる。
【００５４】
サービス提供サーバ２００は、当該個人または企業側から直接入力するワンリンクインデックスまたは様々なワンリンクインデックスの例示の中から選択されるインデックスを当該個人または企業に付与し、前記汎用インデックスＤＢ２４４に格納する（Ｓ２８）。
本実施例において、前記ワンリンクインデックスの付与は、情報提供者端末機３００から要請がある場合に限定して説明したが、本発明は、これに限定されず、運営者が所定の基準による審査を行った後、前記情報提供者端末機３００の要請有無を問わずに前記ワンリンクインデックスを付与し得るようにしてもよい。
【００５５】
これにより、一般な企業は、国家、地域、サブ地域、事業者有無、および業種の特性に応じて、比較的長い拡張式の汎用公開インデックスの付与を受けるが、特定の企業は、これを無視したままで当該企業の特性を明らかに現わすことが可能な短い汎用公開インデックスであるワンリンクインデックスの付与を受けることができる。勿論、このような短いワンリンクインデックスの付与を受けた企業も、上述したように、当該企業の特性による一般な拡張式の汎用公開インデックスの付与を受けて両側ともを使用することが可能である。
【００５６】
すなわち、前記個人または企業は、ワンリンクインデックス申請の際に、数字、文字またはピリオドからなる別途のワンリンクインデックスと、地域、サブ地域、事業者区分、業種およびワンリンクインデックスからなる拡張式の汎用公開インデックスをいずれも使用可能でることが好ましい。例えば、京畿道高陽市に所在した法人事業者である、引越し関連業種に従事する企業は、汎用公開インデックスとして「０３１００Ａ．７４０」の付与を受け、ワンリンクインデックスとして「２４２４」の付与を受けて２個を同時に使用することができる。参考として、前記汎用公開インデックスにおいて業種別インデックスの前にピリオド（．）を入力したが、勿論、これは選択的に変更できる。また、前記汎用公開インデックスは、前述したように数字、文字およびピリオドを組み合わせた形で示されているが、本発明に係るインデックスの構成はこれに限定されず、数字のみからなる場合も含む。
【００５７】
次に、前記Ｓ４０段階である、本発明に係る汎用公開インデックスを介しての情報提供段階について図７を参照して詳細に説明する。
まず、サービス提供サーバ２００は、検索者端末機４００からの接続を認識した場合、汎用公開インデックスが案内された「検索画面」窓を検索者端末機４００へ提供し、検索者が前記「検索画面」窓を介して検索しようとする個人または企業の情報に関する汎用公開インデックスを入力すると、サービス提供サーバ２００は、これを受信して検索インデックスとしてメモリ部２３０に格納する（Ｓ４１）。
【００５８】
この検索インデックスは、図４に示すように、検索者端末機４００で使用するインターネットブラウザのＵＲＬ入力窓（インターネットブラウザの上端に存在し、図４において「Ａ」で表示する）を介して受信されてもよく、前記サービス提供サーバ２００が運営するサイトから提供する検索フィールドを介して受信されてもよい。前記検索フィールドは、サービス提供サーバ２００が運営するＷｅｂページ内に設けられてもよく（図４において「Ｂ」で表示）、サービス提供サーバ２００から提供する別途のプログラムをダウンロードして設置すると、ウィンドウトレイ内に所定のアイコンが生成されるが、このアイコンをクリックすることによりポップアップされる検索窓（図４において「Ｃ」で表示）内に設けられてもよい。
【００５９】
このようなＵＲＬ入力窓または検索フィールドを介して受信された検索インデックスは、前記国家インデックス、地域インデックス、サブ地域インデックス、事業者区分インデックス、および業種別インデックスの少なくとも一つに該当する。ワンリンクインデックスが登録されている場合には、前記検索インデックスがワンリンクインデックスまで含むのは勿論である。
【００６０】
本実施例において、運営者サイトのＵＲＬが「ｗｗｗ．ｎｉｓｓ．ｃｏ．ｋｒ」であると仮定し、前記インデックスの入力形式について図４の「Ａ」の場合を例として詳細に説明する。
【００６１】
検索者が、京畿地域に存在する全ての業種を網羅した企業を検索する場合、前記検索インデックス入力形式は、「ｗｗｗ．ｎｉｓｓ．ｃｏ．ｋｒ／０３１」となる。また、京畿地域の高陽市に存在する全ての業種に対する企業を検索する場合、前記検索インデックス入力形式は「ｗｗｗ．ｎｉｓｓ．ｃｏ．ｋｒ／０３１００」となる。また、京畿地域の高陽市に存在する法人事業者としての企業を検索する場合には「ｗｗｗ．ｎｉｓｓ．ｃｏ．ｋｒ／０３１００Ａ」であり、一般個人を検索する場合には「ｗｗｗ．ｎｉｓｓ．ｃｏ．ｋｒ／０３１００Ｃ」となる。また、京畿地域の高陽市に存在するベンチャー企業を検索する場合、前記インデックス入力形式は「ｗｗｗ．ｎｉｓｓ．ｃｏ．ｋｒ／０３１００Ａ．４７０」となる。
【００６２】
そして、花配達関連企業が自分のワンリンクインデックスを１００４と登録した場合、この企業の情報を検索するための検索インデックス入力形式は「ｗｗｗ．ｎｉｓｓ．ｃｏ．ｋｒ／１００４」となり、運送、引越し専門会社が自分のワンリンクインデックスを２４２４と登録した場合、この企業の情報を検索するための検索インデックス入力形式は「ｗｗｗ．ｎｉｓｓ．ｃｏ．ｋｒ／２４２４」となる。
【００６３】
サービス提供サーバ２００は、前記Ｓ４１段階で受信された検索インデックスを汎用インデックスＤＢ２４４と比較検索し（Ｓ４２）、前記検索インデックスと一致する汎用公開インデックスが存在するか否かを判断する（Ｓ４３）。
【００６４】
判断結果、検索インデックスと一致する汎用公開インデックスが存在する場合には、当該汎用公開インデックスとして登録された個人または企業の情報を検索者端末機４００へ提供する（Ｓ４６）。情報の提供は、個人または企業のホームページに連結する方式が一般的であるが、情報提供者端末機３００またはサービス提供サーバ２００に格納された情報を直接伝送する方式によってもよい。したがって、個人または企業は、必ずしもホームページを運営していなくてもよい。
【００６５】
前記判断結果、検索インデックスと一致する汎用公開インデックスが存在していない場合には、検索インデックスに相応する個人または企業のリストを検索者端末機４００へ提供する（Ｓ４４）。検索者は、前記個人または企業のリストを確認し、その中でも自分が検索しようとする特定の個人または企業を選択して、サービス提供サーバ２００へ伝送する（Ｓ４５）。前記選択信号を受信したサービス提供サーバ２００は、当該個人または企業の情報を検索者端末機４００へ提供する（Ｓ４６）。
【００６６】
前述した検索インデックスに相応する個人または企業のリストを作成する方式として、数字、文字またはピリオドからなる検索インデックスのうち最終桁を除いた残りの桁の数字または文字が同一である汎用公開インデックスとして登録された個人または企業のリストを作成する方法がある。例えば、前記花配達関連企業が「１００４」というワンリンクインデックスとして登録されている場合、検索者がこの企業の情報を提供されることを要望したが、正確なワンリンクインデックスを知らず、「ｗｗｗ．ｎｉｓｓ．ｃｏ．ｋｒ／１００５」と入力したときには、サービス提供サーバ２００は、前記検索インデックスのうち最終桁を除いた残りの桁が同一である「１００＊」からなる全ての汎用公開インデックスを検索し、これに対応する個人または企業のリストを検索者端末機４００へ提供する。前記リストには、「１００４」の汎用公開インデックスとして登録された前記花配達関連企業も含まれる。この際、検索者は、自分が検索しようとした花配達関連企業を選択することにより、サービス提供サーバ２００から前記企業の情報の提供を受けることができる。他の方式として、前述したように上位概念のインデックスが一致する全ての個人または企業のリストを提供するようにすることもできる。このような方式は一実施例に過ぎず、本発明はこれに限定されない。
【００６７】
一方、前記検索者がモバイル端末機ユーザーであって、無線情報通信網を用いてサービス提供サーバ２００に接続する場合には、上述した汎用公開インデックスを用いた情報提供方法の他に、個人設定インデックスを用いた情報提供方法をさらに支援する。個人設定インデックスを用いた情報提供方法は、文字入力が不便なモバイル端末機のキーパッドの構成を考慮してより簡便に所望の情報を検索し得るように設けられたものである。
前記個人設定インデックスは、モバイル端末機ユーザーが自分のお気に入りの個人または企業の情報に対してサービス提供サーバ２００を介して直接設定した数字、文字またはピリオドからなる固有のインデックスであって、直接連結用ワンキーインデックスとブックマーク用ワンキーインデックスから構成される。
【００６８】
前記直接連結用インデックスは、携帯電話に電話番号を入力するときに使用する「短縮番号」のようなもので、登録した後には前記短縮番号のみを押すことにより電話をかけることができるように、直接連結用ワンキーインデックスを登録した後には汎用公開インデックスを利用せず相対的に桁の少ない直接連結用ワンキーインデックスを入力するだけで所望の情報の提供を受けられるようにする。前記ブックマーク用インデックスは、携帯電話で使用する「グループ」のようなもので、連関のある幾つかの情報を１箇所に集めておき、後で容易に探し出すことができるようにする。
【００６９】
このような個人設定インデックスを登録するために、当該モバイル端末機ユーザーは、必ずしも自分のモバイル端末機を介して無線で接続しなくてもよく、一般有線情報通信網を用いたパーソナルＰＣなどを介しても接続ができるように構成してもよい。このため、サービス提供サーバ２００は、有線環境と無線環境で個別的に運営することも可能である。
【００７０】
次に、前記個人設定インデックスを用いた情報提供方法について図８〜図１０を参照して詳細に説明する。
【００７１】
図８は、図５に示した汎用公開インデックスを用いた情報提供方法に個人設定インデックスを含まさせた全体構成の順序図である。
【００７２】
本実施例において、サービス提供サーバ２００が、情報提供者端末機３００から汎用公開インデックスの付与を受けるための要請信号を受信し、前記情報提供者端末機３００から提供された個人または企業の情報に基づいて、予め設定された数字、文字またはピリオドからなる汎用公開インデックスを付与し、検索者端末機４００の接続を認識し、この検索者端末機４００から入力された検索インデックスに相応する汎用公開インデックスとして登録された個人または企業の情報を検索者端末機４００へ提供する段階（Ｓ１０、Ｓ２０、Ｓ３０、Ｓ４０）は、前述と同様である。
【００７３】
また、汎用公開インデックスを付与する前記Ｓ２０段階で、情報提供者端末機３００から提供した個人または企業の情報に基づいて、予め設定された数字、文字またはピリオドからなる国家インデックス、地域インデックス、サブ地域インデックス、事業者区分インデックス、業種別インデックス、およびワンリンクインデックスを付与する段階（Ｓ２１、Ｓ２２、Ｓ２３、Ｓ２４、Ｓ２５、Ｓ２６、Ｓ２７）と、検索者端末機４００から入力された検索インデックスに相応する汎用公開インデックスと連結設定された個人または企業の情報を検索者端末機４００へ提供する段階（Ｓ４１、Ｓ４２、Ｓ４３、Ｓ４４、Ｓ４５、Ｓ４６）も前述と同様である。但し、検索者端末機４００がモバイル端末機の場合には、検索者端末機４００で使用するインターネットブラウザにＵＲＬ入力窓が存在しない場合があるので、前記Ｓ４２段階では、サービス提供サーバ２００から提供した検索フィールドに検索インデックスを入力するように構成される。
【００７４】
本実施例では、前記検索者端末機４００がモバイル端末機の場合における前記サービス提供サーバ２００への接続が、汎用公開インデックスを用いた検索だけでなく、個人設定インデックスを用いた検索のためのものであり得る。この際、前記個人設定インデックスを用いた検索のためには、その前に検索者端末機４００がサービス提供サーバ２００から個人設定インデックスを要請して登録を受ける段階が先行されなければならない。
したがって、サービス提供サーバ２００は、固有インデックス登録のための要請信号を受信した場合、これが情報提供者端末機３００からの汎用公開インデックス登録のための要請信号であるか、検索者端末機４００からの個人設定インデックス登録のための要請信号であるかを判断しなければならない（Ｓ１５）。判断結果、情報提供者端末機３００からの汎用公開インデックス登録のための要請信号の場合には、前記Ｓ２０段階を実行し、検索者端末機４００からの個人設定インデックス登録のための要請信号の場合には、当該検索者が好む数字、文字またはピリオドからなる個人設定インデックスを登録し、これを個人インデックスＤＢ２４６に格納する（Ｓ５０）。
【００７５】
その後、サービス提供サーバ２００が検索者端末機４００の接続を認識した場合には、その接続が汎用公開インデックスを用いた検索なのか、個人設定インデックスを用いた検索なのかを判断する（Ｓ３５）。判断結果、汎用公開インデックスを用いた検索の場合には、前記Ｓ４０段階を実行し、個人設定インデックスを用いた検索の場合には、前記個人インデックスＤＢ２４６に格納された個人設定インデックスを検索し、入力された検索インデックスに相応する個人設定インデックスと連結設定された個人または企業の情報を検索者端末機４００へ提供する（Ｓ６０）。
【００７６】
次に、前記Ｓ５０段階である、本発明に係る個人設定インデックスの登録過程について図９を参照して詳細に説明する。
サービス提供サーバ２００は、検索者端末機４００から個人設定インデックスの要請信号を受信した場合、直接連結を所望する個人または企業の情報（例えばＵＲＬ）を要請し、当該検索者端末機４００からこれを受信する（Ｓ５１）。その後、サービス提供サーバ２００は、当該個人または企業の情報に対する直接連結用ワンキーインデックスを要請し、これを受信して個人インデックスＤＢ２４６に格納する（Ｓ５２）。前記個人または企業の情報およびこれに対する直接連結用ワンキーインデックスの受信は同時に行われてもよい。
【００７７】
サービス提供サーバ２００は、直接連結用ワンキーインデックスを追加するかを検索者端末機４００に尋ねて、直接連結用ワンキーインデックスを追加するか否かを判断する（Ｓ５３）。判断結果、検索者が直接連結用ワンキーインデックスを追加しようとする場合には、前記Ｓ５１、Ｓ５２段階を繰り返し行い、追加しない場合には、検索者端末機４００から個人ブックマークとして構成することを所望する個人または企業の情報を要請し、当該検索者端末機４００からこれを受信する（Ｓ５４）。その後、サービス提供サーバ２００は、検索者が個人ブックマークに直ちに接近することが可能なブックマーク用ワンキーインデックスを案内する一方、前記Ｓ５４段階で受信した個人または企業の情報を当該検索者の個人ブックマークとして登録する（Ｓ５５）。サービス提供サーバ２００は、ブックマーク用ワンキーインデックスを追加するかを当該検索者端末機４００に尋ねて、ブックマーク用ワンキーインデックスを追加するか否かを判断し（Ｓ５６）、判断結果、検索者がブックマーク用ワンキーインデックスを追加しようとする場合には、前記Ｓ５４、Ｓ５５段階を繰り返し行う。
【００７８】
本実施例では、前記直接連結用ワンキーインデックスを登録する段階（Ｓ５１、Ｓ５２）とブックマーク用ワンキーインデックスを登録する段階（Ｓ５４、Ｓ５５）が直列的に実行されると説明されているが、これらの機能を別途のメニューとして構成し、それぞれ並列式に実行されるようにすることもできる。
【００７９】
次に、前記Ｓ６０段階である、本発明に係る個人設定インデックスによる情報提供過程について図１０を参照して詳細に説明する。
サービス提供サーバ２００は、検索者端末機４００からの接続を認識した場合、個人設定インデックスの入力のための検索フィールドが含まれた「検索画面」窓を検索者端末機４００へ提供する（Ｓ６１）。検索者が前記検索フィールドに検索しようとする個人または企業の情報に、本人が予め設定しておいた個人設定インデックスを入力すると、サービス提供サーバ２００は、これを受信して検索インデックスとしてメモリ部２３０に格納する（Ｓ６２）。
【００８０】
前記Ｓ６２段階で受信された検索インデックスを個人インデックスＤＢ２６０と比較検索し（Ｓ６３）、検索インデックスが直接連結用ワンキーインデックスであるか否かを判断する（Ｓ６４）。判断結果、前記検索インデックスが直接連結用ワンキーインデックスの場合には、これに該当する個人または企業の情報を検索者端末機４００へ提供する（Ｓ６８）。
【００８１】
検索インデックスが直接連結用ワンキーインデックスではない場合には、検索インデックスがブックマーク用ワンキーインデックスであるか否かを判断する（Ｓ６５）。判断結果、前記検索インデックスがブックマーク用ワンキーインデックスの場合には、当該個人ブックマークとして構成された個人または企業のリストを検索者端末機４００へ提供する（Ｓ６６）。検索者は、前記個人または企業のリストを確認し、その中から自分が検索しようとする特定の個人または企業を選択してサービス提供サーバ２００へ伝送する（Ｓ６７）。前記選択信号を受信したサービス提供サーバ２００は、当該個人または企業の情報を検索者端末機４００へ提供する（Ｓ６８）。
【００８２】
最後に、検索者端末機４００が検索のためにサービス提供サーバ２００に接続する場合、これが汎用公開インデックス連結のための接続なのか、個人設定インデックス連結のための接続なのかを区分する方法を説明する。このため、モバイル端末機のキーパッドには、図３に示すように別途のホットキー（ＨＫ）を備えることが好ましい。
【００８３】
まず、当該検索者端末機４００に汎用公開インデックス連結のためのホットキーと個人設定インデックス連結のためのホットキーをそれぞれ別途に設け、互いに異なる接続信号をサービス提供サーバ２００で受信することにより区分する方式がある。
【００８４】
他の方式として、当該検索者端末機４００に一つのホットキーのみを備えさせるが、連結目的を特定する特定の番号コードを入力した後、当該ホットキーを押すようにして、入力された番号コード別に互いに異なる接続信号がサービス提供サーバ２００へ送信されるようにすることにより、汎用公開インデックス連結のための接続か個人設定インデックス連結のための接続かを区分するようにすることもできる。
【００８５】
別の方式として、当該検索者端末機４００に一つのホットキーのみを備えさせるが、検索者による当該ホットキーの押圧回数を異ならせて、互いに異なる接続信号がサービス提供サーバ２００へ送信されるようにすることにより、汎用公開インデックス連結のための接続か個人設定インデックス連結のための接続かを区分するようにすることもできる。
【００８６】
別の方式として、当該検索者端末機４００に一つのホットキーのみを備えさせるが、検索者端末機４００から前記ホットキーを押してサービス提供サーバ２００に接続された以後、別途の連結目的別メニュールートの選択を強制することにより、汎用公開インデックス連結のための接続か個人設定インデックス連結のための接続かを区分するようにすることもできる。
【００８７】
別の方式として、当該検索者端末機４００に別途のホットキーを備えさせない代わりに、サービス提供サーバ２００への接続のための別途のサービスメニューを備えさせ、検索者が何時も当該メニューに対する選択のみで前記サービス提供サーバ２００に接続し得るようにした後、別途の連結目的別メニュールートの選択を強制することにより、検索者端末機４００による接続が汎用公開インデックス連結のための接続なのか個人設定インデックス連結のための接続なのかを区分するようにすることもできる。
【００８８】
別の方式として、当該検索者端末機４００に別途のホットキーを備えさせない代わりに、前記サービス提供サーバ２００が当該モバイル端末機の通信事業者側から提供する無線インターネットメニューのコンテンツプロバイダー（Contents Provider：ＣＰ）として登録され、別途の汎用公開インデックスメニューと個人設定インデックスメニューを備えることにより、検索者端末機４００による接続が汎用公開インデックス連結のための接続なのか個人設定インデックス連結のための接続なのかを区分するようにすることもできる。
【００８９】
本実施例では、モバイル端末機ユーザーである検索者が、当該サービス提供サーバ２００から提供する検索フィールドに、自分の所望する汎用公開インデックスまたは個人設定インデックスを入力することにより、当該検索インデックスに相応する個人または企業の情報提供を受けると説明しているが、本発明は、これに限定されるものではない。実際、当該検索フィールドには、サービス提供事業者の区分のために別途の当該サービス提供サーバ２００を示す所定のサービスコードが予め入力されており、検索者は、当該サービス提供サーバ２００のサービスコード以後に適切な検索インデックスを入力することにより、上述した汎用公開インデックス連結または個人設定インデックス連結がなされるようにすることもできる。
【産業上の利用可能性】
【００９０】
上述したように、本発明に係る情報通信網を用いた情報提供方法によれば、個人または企業の情報に基づいて数字、文字またはピリオドで作った汎用公開インデックス、および検索者が好む数字、文字またはピリオドからなる個人設定インデックスを提供することにより、検索者がより便利に自分の所望する情報に容易且つ迅速に接近し得るようにする。しかも、前記汎用公開インデックスと個人設定インデックスは、有線端末機だけでなく、モバイル端末機においても容易に入力することができて、統合的検索体系を構築することができる。一方、情報提供者は、本発明のインデックス検索体系を用いて自分のＷｅｂサイトなしも所望の情報を提供することができる。
【図１】
2008517397.tif 000007
【図２】
2008517397.tif 000008
【図３】
2008517397.tif 000009
【図４】
2008517397.tif 000010
【図５】
2008517397.tif 000011
【図６】
2008517397.tif 000012
【図７】
2008517397.tif 000013
【図８】
2008517397.tif 000014
【図９】
2008517397.tif 000015
【図１０】
2008517397.tif 000016
【国際調査報告】
2008517397.tif 000017